【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
冷媒と、少なくとも１種類のイオン化合物吸収液とを含む組成物であって、イオン化合物は、陰イオンおよび陽イオンを含み、前記陽イオンが、リチウム、ナトリウム、カリウム、セシウム、コリン、ホスホニウムコリン、グアニジニウム、イソキノリニウム、キノリニウム、およびスルホニウムからなる群のいずれか１つ以上から選択される、組成物。
【請求項２】
冷媒と、少なくとも１種類のイオン化合物吸収液とを含む組成物であって、イオン化合物が陰イオンおよび陽イオンを含み、前記陰イオンが、
（ｃ）クロロアルミン酸イオン、ブロモアルミン酸イオン、テトラクロロホウ酸イオン、メチルスルホン酸イオン、ｐ−トルエンスルホン酸イオン、ヘキサフルオロヒ酸イオン、テトラブロモアルミン酸イオン、過塩素酸イオン、水酸化物陰イオン、三塩化鉄陰イオン、三塩化亜鉛陰イオン、塩化ガリウム、ならびに種々のランタン、カリウム、リチウム、ニッケル、コバルト、マンガン、およびその他の金属を含有する陰イオン；
（ｄ）［ＣＨ3ＣＯ2］-、［ＨＳＯ4］-、［ＣＨ3ＯＳＯ3］-、［Ｃ2Ｈ5ＯＳＯ3］-、［ＡｌＣｌ4］-、［ＣＯ3］2-、［ＨＣＯ3］-、［ＮＯ2］-、［ＮＯ3］-、［ＳＯ4］2-、［ＰＯ3］3-、［ＨＰＯ3］2-、［Ｈ2ＰＯ3］1-、［ＰＯ4］3-、［ＨＰＯ4］2-、［Ｈ2ＰＯ4］-、［ＨＳＯ3］-、［ＣｕＣｌ2］-、［Ｃｌ-、Ｂｒ-、Ｉ-］、ＳＣＮ-、ＢＲ1Ｒ2Ｒ3Ｒ4、またはＢＯＲ1ＯＲ2ＯＲ3ＯＲ4（式中、Ｒ1〜Ｒ4は本明細書に記載の通りである）；アルキル基および／または置換アルキル基で場合により置換されたカルボレート類［（１−カルバドデカボレート（１−）］；ならびにアルキルアミン基、置換アルキルアミン基、アルキル基、および／または置換アルキル基で場合により置換されたカルボラン類［（ジカルバドデカボレート（１−）］；
（ｆ）アミノ酢酸イオン（グリシン）、アスコルビン酸イオン、安息香酸イオン、カテコレートイオン、クエン酸イオン、ジメチルリン酸イオン、ギ酸イオン、フマル酸イオン、没食子酸イオン、グリコール酸イオン、グリオキシル酸イオン、イミノ二酢酸イオン、イソ酪酸イオン、コウジ酸イオン（５−ヒドロキシ−２−ヒドロキシメチル−４−ピロンイオン）、乳酸イオン、レブリン酸イオン、シュウ酸イオン、ピバル酸イオン、プロピオン酸イオン、ピルビン酸イオン、サリチル酸イオン、スクシンアミド酸イオン、コハク酸イオン、チグリン酸イオン（ＣＨ3ＣＨ＝Ｃ（ＣＨ3）ＣＯＯ-）、およびトロポロネートイオン（２−ヒドロキシ−２，４，６−シクロヘプタトリエン−１−オンイオン）；
（ｇ）次式：
【化１】
2012508298.tif 000001
（式中、Ｒ11は：
（ｉ）Ｃｌ、Ｂｒ、Ｆ、Ｉ、ＯＨ、ＮＨ2、およびＳＨの１つ以上で場合により置換された−ＣＨ3、−Ｃ2Ｈ5、あるいはＣ3〜Ｃ10の直鎖、分岐、または環状のアルカン基またはアルケン基；
（ii）Ｏ、Ｎ、Ｓｉ、およびＳから独立して選択される１〜３個のヘテロ原子を含有し、Ｃｌ、Ｂｒ、Ｆ、Ｉ、ＯＨ、ＮＨ2、およびＳＨの１つ以上で場合により置換された−ＣＨ3、−Ｃ2Ｈ5、あるいはＣ3〜Ｃ10の直鎖、分岐、または環状のアルカン基またはアルケン基；
（iii）Ｃ6〜Ｃ10非置換アリール基、あるいはＯ、Ｎ、Ｓｉ、およびＳから独立して選択される１〜３個のヘテロ原子を含有するＣ3〜Ｃ10非置換ヘテロアリール基；ならびに
（iv）（１）ＯＨと；（２）ＮＨ2と；（３）ＳＨと；（４）Ｃｌ、Ｂｒ、Ｆ、Ｉ、ＯＨ、ＮＨ2、およびＳＨの１つ以上で場合により置換された−ＣＨ3、−Ｃ2Ｈ5、あるいはＣ3〜Ｃ25の直鎖、分岐、または環状のアルカン基またはアルケン基とからなる群から独立して選択される１〜３個の置換基を含有する、Ｃ6〜Ｃ10置換アリール基、あるいはＯ、Ｎ、Ｓｉ、およびＳから独立して選択される１〜３個のヘテロ原子を含有するＣ3〜Ｃ10置換ヘテロアリール基、
からなる群から選択される）
の構造によって表される陰イオン；ならびに
（ｈ）次式（式中、Ｒ1およびＲ2は本明細書に記載の通りである）：
【化２】
2012508298.tif 000002
（式中、Ｒ1、Ｒ2、Ｒ3、およびＲ4は：
（ｉ）Ｈ；
（ii）ハロゲン（たとえばＦ、Ｃｌ、Ｂｒ、またはＩ）；
（iii）Ｃｌ、Ｂｒ、Ｆ、Ｉ、ＯＨ、ＮＨ2、およびＳＨの１つ以上で場合により置換された−ＣＨ3、−Ｃ2Ｈ5、あるいはＣ3〜Ｃ25の直鎖、分岐、または環状のアルカン基またはアルケン基；
（iv）Ｏ、Ｎ、Ｓｉ、およびＳから独立して選択される１〜３個のヘテロ原子を含有し、Ｃｌ、Ｂｒ、Ｆ、Ｉ、ＯＨ、ＮＨ2、およびＳＨの１つ以上で場合により置換された−ＣＨ3、−Ｃ2Ｈ5、あるいはＣ3〜Ｃ25の直鎖、分岐、または環状のアルカン基またはアルケン基；
（ｖ）Ｏ、Ｎ、Ｓｉ、およびＳから独立して選択される１〜３個のヘテロ原子を含有するＣ6〜Ｃ20非置換アリール基またはＣ3〜Ｃ25非置換ヘテロアリール基；
（vi）Ｏ、Ｎ、Ｓｉ、およびＳから独立して選択される１〜３個のヘテロ原子を有し；（１）ＯＨと；（２）ＮＨ2と；（３）ＳＨと；（４）Ｃｌ、Ｂｒ、Ｆ、Ｉ、ＯＨ、ＮＨ2、およびＳＨの１つ以上で場合により置換された−ＣＨ3、−Ｃ2Ｈ5、あるいはＣ3〜Ｃ25の直鎖、分岐、または環状のアルカン基またはアルケン基とからなる群より独立して選択される１〜３個の置換基を含有する、Ｃ6〜Ｃ25置換アリール基またはＣ3〜Ｃ25置換ヘテロアリール基；ならびに
（vii）−（ＣＨ2）nＳｉ（ＣＨ2）mＣＨ3、−（ＣＨ2）nＳｉ（ＣＨ3）3、または−（ＣＨ2）nＯＳｉ（ＣＨ3）m（式中、ｎは独立して１〜４であり、ｍは独立して０〜４である）
からなる群の１つ以上から選択され；
場合により、Ｒ1、Ｒ2、Ｒ3、およびＲ4の少なくとも２つが一緒になって、環式または二環式のアルカニル基またはアルケニル基を形成することができる）
の各構造によって表される陰イオン
からなる群のいずれか１つ以上から選択される、組成物。
【請求項３】
冷媒と、少なくとも１種類の非イオン性吸収液とを含む組成物であって、前記非イオン性吸収液が、１種類以上のアクリルポリマー類およびそれらの誘導体；カテコール（ベンゼン−１，２−ジオール）；クラウンエーテル類（エチレンオキシドの環状オリゴマー類）；ならびに次式：
【化３】
2012508298.tif 000003
（式中、Ｒ15は、Ｈ、−ＣＨ3、−Ｃ2Ｈ5、あるいはＣ3〜Ｃ25の直鎖、分岐、または環状のアルカン基であり、ヒドロキシル、カルボキシ、チオール、カルボニル、またはアミン基で場合により置換されている）
の構造によって表されるペンタエリスリトールおよび置換ペンタエリスリトール類のから選択される、組成物。
【請求項４】
冷媒と、少なくとも１種類のイオン化合物吸収液および／または非イオン性吸収液と、ポリエチレングリコール、ポリプロピレングリコール、ゼオライト類、平均直径が約１００ｎｍ未満のナノ粒子、５または６員炭素環の糖類、ならびに２〜５炭素脂肪族グリコール類からなる群から選択される１種類以上の添加剤とを含む、組成物。
【請求項５】
前記冷媒が、水、ハロカーボン、二酸化炭素（ＣＯ2）、アンモニア（ＮＨ3）、および非ハロゲン化炭化水素からなる群の１つ以上から選択される、請求項１〜４のいずれか１項に記載の組成物。
【請求項６】
前記冷媒が水を含む、請求項５に記載の組成物。
【請求項７】
前記冷媒がアンモニアを含む、請求項５に記載の組成物。
【請求項８】
ハロカーボンが、ハイドロフルオロカーボン、ハイドロクロロフルオロカーボン、クロロフルオロカーボン、フルオロカーボン、およびそれらの混合物からなる群から選択される、請求項５に記載の組成物。
【請求項９】
ハイドロフルオロカーボンが、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオ
ロエタン（ＨＦＣ−１４３ａ）、１，１−ジフルオロエタン（ＨＦＣ−１５２ａ）、およびフルオロエタン（ＨＦＣ−１６１）からなる群から選択される、請求項８に記載の組成物。
【請求項１０】
（ａ）冷媒および吸収液の混合物を形成する吸収器と；（ｂ）前記吸収器から前記混合物を受け取り、前記混合物を加熱して蒸気形態の冷媒を前記吸収液から分離させ、前記冷媒蒸気の圧力を上昇させる発生器と；（ｃ）前記発生器から前記冷媒蒸気を受け取り、加圧下で前記蒸気を液体に凝縮させる凝縮器と；（ｄ）減圧装置であって、前記凝縮器を離れた前記液体の冷媒が通過すると、前記液体の圧力が低下して、液体および蒸気の冷媒の混合物が形成される減圧装置と；（ｅ）前記減圧装置を通過した液体および蒸気の冷媒の混合物を受け取り、残留する液体を蒸発させて、冷媒蒸気を形成する蒸発器と；（ｆ）前記蒸発器を離れた冷媒蒸気が前記吸収器に戻るために通過する導管とを含み；前記吸収液および冷媒が請求項１〜４のいずれか１項に記載の組成物を含む、温度調節のための装置。
【請求項１１】
前記凝縮器が、加熱される物体、媒体、または空間の近傍に配置される、請求項１０に記載の装置。
【請求項１２】
前記蒸発器が、冷却される物体、媒体、または空間の近傍に配置される、請求項１０に記載の装置。
【請求項１３】
物体、媒体、または空間の温度を調節する方法であって、（ａ）冷媒蒸気を吸収液に吸収させて混合物を形成するステップと；（ｂ）前記混合物を加熱して蒸気形態の冷媒を前記吸収液から分離させ、前記冷媒蒸気の圧力を上昇させるステップと；（ｃ）加圧下で前記冷媒蒸気を液体に凝縮するステップと；（ｄ）前記液体の冷媒の圧力を低下させ、前記冷媒を蒸発させて冷媒蒸気を形成するステップと；（ｅ）前記吸収液に前記冷媒蒸気を再吸収させるためにステップ（ａ）を繰り返すステップとを含み；前記吸収液および冷媒が請求項１〜４のいずれか１項に記載の組成物を含む、方法。
【請求項１４】
加熱される物体、媒体、または空間の近傍で、冷媒蒸気を液体に凝縮させる、請求項１３に記載の方法。
【請求項１５】
冷却される物体、媒体、または空間の近傍で、液体の冷媒を蒸発させて冷媒蒸気を形成する、請求項１３に記載の方法。